(57)【要約】【課題】ルーバーモータの軸からの冷気漏れを防止する。【解決手段】室内機の筐体に空気吸込口４と吹出口６を備え、室内機内部に室内熱交換器と送風ファンを設け、前記吹出口に上下方向の風向を調整するために回動可能に軸支する上下風向板１１を設け、この上下風向板１１の左右軸端が前記吹出口６を形成するケーシング２の側壁１２外側に固定されたルーバーモータ１３のモータ軸１４と、前記側壁１２に備えた貫通孔１５を通して連結される空気調和機の吹出口に於いて、前記側壁１２の内側面で前記貫通孔１５の周囲に円筒状のリブ１６を立設し、このリブ１６に対向する前記上下風向板１１の軸端には、前記リブ１６の内側と外側を二重に包囲すると共に、前記モータ軸１４と接続する二重円筒部１７を一体に設けたものである。【選択図】図３
2015172448.tif 000002
【特許請求の範囲】
【請求項１】
室内機の筐体に空気吸込口と吹出口を備え、室内機内部に室内熱交換器と送風ファンを設け、前記吹出口に上下方向の風向を調整するために回動可能に軸支する上下風向板を設け、この上下風向板の左右軸端が前記吹出口を形成するケーシングの側壁外側に固定されたルーバーモータのモータ軸と、前記側壁に備えた貫通孔を通して連結される空気調和機の吹出口に於いて、前記側壁の内側面で前記貫通孔の周囲に円筒状のリブを立設し、このリブに対向する前記上下風向板の軸端には、前記リブの内側と外側を二重に包囲すると共に、前記モータ軸と接続する二重円筒部を一体に設けたことを特徴とする空気調和機の吹出口。
【発明の詳細な説明】
【技術分野】
【０００１】
この発明は、空気調和機室内機の空気吹出口の構造に関し、冷房運転時に水平ルーバーを駆動するルーバーモータへの結露を防止するものである。
【背景技術】
【０００２】
従来の空気調和機は、吹出口へ連通する吹出通路上の通過口を開放又は閉鎖するシャッタが設けられる空気調和機が提案されている。（例えば、特許文献１参照）この特許文献１の空気調和機では、吹出口から空気を吹き出す場合には、シャッタを開放状態に配置し、吹出口から空気を吹き出さない場合には、シャッタを閉鎖状態に配置する。
また、空気の吹出口へ連通した空気の通過口を有するケーシングと、前記通過口を閉鎖した閉鎖位置と通過口を開放した開放位置とを取り得るシャッタと、このシャッタを駆動するための駆動軸と、この駆動軸に取り付けられると共に前記シャッタの端部を保持する回転部材とを備え、前記ケーシングには、前記回転部材を通過させる貫通孔が形成されており、前記ケーシングの貫通孔の外側面には回転部材によってラビリンスシール構造が設けられ、冷房運転時に吹出通路を通過する空気が貫通孔を介して、ケーシングの外側に漏れてしまい、ルーバーモータが結露して故障することを防止するものが有った。（例えば、特許文献２参照）
【先行技術文献】
【特許文献】
【０００３】
【特許文献１】特開２００７−１８３０１３号公報
【特許文献２】特開２０１０−７８２７３号公報
【発明の概要】
【発明が解決しようとする課題】
【０００４】
この従来例の空気調和機は、ラビリンスシール構造が回転部材によってケーシングの外側に形成されているために構造が複雑で製造コスト高いという問題がある。
【課題を解決するための手段】
【０００５】
この発明はこの点に着目し上記欠点を解決する為、特にその構成を、室内機の筐体に空気吸込口と吹出口を備え、室内機内部に室内熱交換器と送風ファンを設け、前記吹出口に上下方向の風向を調整するために回動可能に軸支する上下風向板を設け、この上下風向板の左右軸端が前記吹出口を形成するケーシングの側壁外側に固定されたルーバーモータのモータ軸と、前記側壁に備えた貫通孔を通して連結される空気調和機の吹出口に於いて、前記側壁の内側面で前記貫通孔の周囲に円筒状のリブを立設し、このリブに対向する前記上下風向板の軸端には、前記リブの内側と外側を二重に包囲すると共に、前記モータ軸と接続する二重円筒部を一体に設けたものである。
【発明の効果】
【０００６】
この発明によれば、側壁の内側面でモータ軸が貫通する軸穴の周囲に円筒状のリブを立設し、このリブに対向する前記上下風向板の左右軸端には、前記リブの内側と外側を二重に包囲すると共に、前記モータ軸と接続する二重円筒部を一体に設けたので、上下風向板の軸端に直接ルーバーモータを接続することで、簡単な構造で冷気の漏れを防止し、製造コストも低く抑えることができ、簡単な構造なので故障も少なくなるものである。
【図面の簡単な説明】
【０００７】
【図１】この発明一実施例の室内機の断面図。
【図２】同要部拡大断面図。
【図３】同要部の分解断面図。
【図４】同要部を説明する斜視図。
【発明を実施するための形態】
【０００８】
次に、この発明に係る空気調和機を図面に示された一実施例で説明する。
１はセパレート式空気調和機の室内ユニットで、本体ケーシング２と前方の前面カバー３によって筐体を形成し、前記前面カバー３の中央には横長スリット状の吸込口４を有するオープンパネル５を備え、このパネル５上部左右に設けた軸（図示せず）を支点として前面カバー３前方へ開閉自在に取付られ、前記吸込口４下方から前面カバー３底面には横長の吹出口６を設け、また前面カバー３上面には前記吸込口４で不足する開口面積を補うために上部吸込口７を設けている。前記吸込口４・７の内側には横長で多段に屈曲されたフィンチューブ式の室内熱交換器８を設け、この熱交換器８の後部にはクロスフロー式の室内送風ファン９を配置している。この送風ファン９は通常運転時約７５０〜１，１００ｒｐｍの早さで回転し、前記吸込口４・７から室内空気を吸い込み吹出口６より熱交換された空気を吹き出すものである。前記室内熱交換器８の下方には樹脂の発泡材で一体成形されたドレーン皿１０を設け、結露水を受けると共に前記ファン９の送風を吹出口６へ導くエアーガイドの機能を兼ねるものである。
【０００９】
１１は上下風向板で、前記吹出口６から吹き出す空気の上下方向の風向を調整するために吹出口６を形成する前記ケーシング２の側壁１２に回動可能に軸支する。この側壁１２の外側面には上下風向板１１を回動するルーバーモータ１３がネジ止めされ、このルーバーモータ１３に備えたモータ軸１４が、前記側壁１２に設けた直径約１０ｍｍの貫通孔１５を吹出口６側へ貫通して固定されるものである。
【００１０】
前記貫通孔１５の内側は高さ約８ｍｍの円柱状のリブ１６を立設している。このリブ１６の内径は貫通孔１５と同じ１０ｍｍで外径は肉厚１ｍｍ分を付加して約１２ｍｍである。前記上下風向板１１の軸端には前記リブ１６の内側と外側を二重に包囲すると共に、前記モータ軸１４と接続する二重円筒部１７を一体に設けている。この二重円筒部１７の内側の円筒部１７ａは前記モータ軸１４に接続してルーバーモータ１３の回動を上下風向板１１に伝達すると共に、前記リブ１６の内側に約１ｍｍの隙間Ａを設けることで回動時のリブ１６との接触を防止している。
【００１１】
前記二重円筒部１７の外側の円筒部１７ｂは前記リブ１６の外側に約１ｍｍの隙間Ｂを設けることで回動時のリブ１６との接触を防止すると共に、リブ１６を二重に覆うラビリンスシール構造を形成することで、冷房運転時に吹出口６を通過する冷気がルーバーモータ１３側に入り込まないようにするものであり、簡単な構造で冷気の漏れを防止し、製造コストも低く抑えることができるものであり、上下風向板１１の軸端に直接ルーバーモータ１３を接続しながらラビリンスシール構造を形成することで、別部品を使用することがないので故障も少なくなるものである。
【００１２】
当然のことでは有るがラビリンスシール構造を形成する、二重円筒部１７のそれぞれの高さや貫通孔１５のリブ１６の高さと、隙間Ａ・Ｂの寸法は適宜調整することによって冷気の漏れをより一層に少なくすることができるものであり、また二重円筒部１７を吸込口６側に備えることで構造を極めて単純にすることがで製造時の金型費用も少なくするものである。
【符号の説明】
【００１３】
１  室内機
２  ケーシング
９  室内送風ファン
１１  上下風向板
１２  側壁
１３  ルーバーモータ
１４  モータ軸
１５  貫通孔
１６  リブ
１７  二重円筒部
１７ａ  内側の円筒部
１７ｂ  外側の円筒部
【図１】
2015172448.tif 000003
【図２】
2015172448.tif 000004
【図３】
2015172448.tif 000005
【図４】
2015172448.tif 000006